(57)【要約】【課題】閉塞型の指挿入部が採用される場合において、付け爪をした場合で支障なくまた不便を与えることなく指静脈を撮影することのできる個人認証装置の指静脈パターン入力装置を提供する。【解決手段】指が指置き台に設置されたときに、当該指の爪に取り付けられた付け爪が周囲壁に接触することない充分な間隙が許容されて配置可能とする付け爪逃がし空間部が内部空間部に連続する形で細長い穴状形状として形成される。【選択図】図３
2008310394.tif 000002
【特許請求の範囲】
【請求項１】
六方側の内、一方側が開放され他方側が閉塞された内部空間部を備えた本体と、前記空間部に面して本体に設置された前記指置き台に置かれた指に光照射する照射手段と、照射された指を撮像する撮像手段と、を有して構成される個人認証装置の指静脈パターン入力装置において、
指が前記指置き台に設置されたときに、当該指の爪に取り付けられた付け爪が周囲壁に接触することない充分な間隙が許容されて配置可能とする付け爪逃がし空間部が前記内部空間部に連続する形で細長い穴状形状として形成してあること
を特徴とする個人認証装置の指静脈パターン入力装置。
【請求項２】
請求項１において、指が設置されたことを指に感知させる感知付与手段が設けられ、感知された状態で指が指置き台に設置されたときに、付け爪を収納する前記付け逃がし空間部が形成してあることを特徴とする指静脈パターン入力装置。
【請求項３】
請求項１または２において、前記内部空間部は、前記付け爪逃がし空間部に向けて前記指置き台に対向する側の壁面がスムーズに漸減して当該指の案内面とされることを特徴とする指静脈パターン入力装置。
【請求項４】
請求項１から３のいずれかにおいて、前記感知付与手段は、突起、指外面形状あるいはこれらの組み合わせで形成されることを特徴とする指静脈パターン入力装置。
【請求項５】
請求項１から４のいずれかにおいて、前記内部空間部には当該指の配置方向を指し示す誘導光路部が設けてあることを特徴とする指静脈パターン入力装置。
【請求項６】
請求項１から５のいずれかにおいて、前記指置き台には静電検知素子および前記内部空間部の奥側で前記付け爪逃がし空間部に近接してスイッチボタンが設けてあり、前記内部空間部の前記指置台に対向する側の壁面には前記付け爪逃がし空間部に近い奥側に爪逃がし空間照射ライトが、そして手前側に前記照射手段が照射ＬＥＤによって構成され、前記静電検知素子が当該指を検知すると照射ライトが点燈し、前記スイッチボタンが当該指によって押圧されると前記照射ＬＥＤが作動することを特徴とする指静脈パターン入力装置。
【発明の詳細な説明】
【技術分野】
【０００１】
本発明は、個人認証装置の指静脈パターン入力装置に関する。
【背景技術】
【０００２】
指静脈パターンを撮影し、画像化して個人認証を行う個人認証装置が色々な分野で採用されるようになってきている。
【０００３】
特許文献１には、指を挿入する空間を有する筐体と、筐体の内部壁面に設置された複数の光源手段と、筐体の内部壁面に設置された複数の撮影手段と、複数の撮影手段によって撮影された画像データを合成する合成手段と、合成された画像から挿入された指の爪の位置を検出する爪位置検出手段と、前記爪位置検出手段の出力情報に基づき、合成された画像から指の腹の部分の画像を切り出す画像切り出し手段と、切り出された画像と予め登録されている画像とのマッチングを行い、マッチングの結果を出力するマッチング手段とを備えたことを特徴とする個人認証装置が記載されている。
【０００４】
特許文献２には、撮像部と、前記撮像部へ入射する光を照射する光源と、前記撮像部で撮像された画像からパターンを生成し、前記パターンと事前に登録された登録パターンとの照合を行う画像演算部と、前記登録パターンを保持する記録装置と、前記指の撮像位置を示すガイド部とを有し、さらに、前記指の前記ガイド部へ接触を検知する検知部を有することを特徴とする個人認証装置が記載されている。
【０００５】
【特許文献１】特開２００５−７１３１７号公報
【特許文献２】特開２００６−２６４２７号公報
【発明の開示】
【発明が解決しようとする課題】
【０００６】
個人認証装置が多方面で採用されるに伴なって個人認証を行う対象者も多様化するに至っている。女性の中には付け爪をされている人もおり、付け爪をされている人にとって個人認証の時に付け爪を取り除すのであっては大変面倒なことと感じることになる。しかし、付け爪を装着した状態で指認証を行おうとした場合、指の挿入型、すなわち指挿入部が閉塞型の指静脈パターン入力装置にあっては付け爪の先端が内部空間の壁に接触することになって指静脈の撮影に支障を来たすばかりでなく、認証を行う人に対しても不便を与えることになる。
【０００７】
本発明は、かかる点に鑑みて閉塞型の指挿入部が採用される場合において、付け爪をした場合で支障なくまた不便を与えることなく指静脈を撮影することのできる個人認証装置の指静脈パターン入力装置を提供することを目的とする。
【課題を解決するための手段】
【０００８】
本発明は、六方側の内、一方側が開放され他方側が閉塞された内部空間部を備えた本体と、前記空間部に面して本体に設置された前記指置き台に置かれた指に光照射する照射手段と、照射された指を撮像する撮像手段と、を有して構成される個人認証装置の指静脈パターン入力装置において、
指が前記指置き台に設置されたときに、当該指の爪に取り付けられた付け爪が周囲壁に接触することない充分な間隙が許容されて配置可能とする付け爪逃がし空間部が前記内部空間部に連続する形で細長い穴状形状として形成してあること
を特徴とする個人認証装置の指静脈パターン入力装置を提供する。
【０００９】
本発明は、指が設置されたことを指に感知させる感知付与手段が設けられ、感知された状態で指が指置き台に設置されたときに、付け爪を収納する前記付け逃がし空間部が形成してあることを特徴とする指静脈パターン入力装置を提供する。
【００１０】
本発明は、前記内部空間部は、前記付け爪逃がし空間部に向けて前記指置き台に対向する側の壁面がスムーズに漸減して当該指の案内面とされることを特徴とする指静脈パターン入力装置を提供する。
【００１１】
本発明は、前記感知付与手段は、突起、指外面形状あるいはこれらの組み合わせで形成されることを特徴とする指静脈パターン入力装置を提供する。
【００１２】
本発明は、前記内部空間部には当該指の配置方向を指し示す誘導光路部が設けてあることを特徴とする指静脈パターン入力装置を提供する。
【００１３】
本発明は、前記指置き台には静電検知素子および前記内部空間部の奥側で前記付け爪逃がし空間部に近接してスイッチボタンが設けてあり、前記内部空間部の前記指置台に対向する側の壁面には前記付け爪逃がし空間部に近い奥側に爪逃がし空間照射ライトが、そして手前側に前記照射手段が照射ＬＥＤによって構成され、前記静電検知素子が当該指を検知すると照射ライトが点燈し、前記スイッチボタンが当該指によって押圧されると前記照射ＬＥＤが作動することを特徴とする指静脈パターン入力装置を提供する。
【発明の効果】
【００１４】
本発明によれば、上述の構成になる付け爪を収容する細長い六形状の付け爪逃がし空間部を形成しているので、閉塞型の指挿入部が採用される場合において、付け爪をした場合で支障なくまた不便を与えることなく指静脈を撮影することのできる個人認証装置の指静脈パターン入力装置を提供することができる。
【発明を実施するための最良の形態】
【００１５】
以下、本発明の実施例を図面に基づいて説明する。
【実施例】
【００１６】
図１〜図３は、本発明の実施例である個人認証装置の指静脈パターン入力装置の構成を示す図であり、図１は、指挿入方向である手前側から見た正面図、図２は指を挿入した状態での内部状態を示す縦断面図および図３は図２を拡大して説明に用いる説明図である。
【００１７】
図１および図２において、指静脈パターン入力装置１００は、本体１、指置き台２および撮像部３から構成されて、組み立てられる。この指静脈パターン入力装置１００は、閉塞型として構成され、本体１は、指を挿入する側が開放するのみで、他の５側を閉じた形式の閉塞型として構成される。本体１は、内部に枠体１１を備え、枠体１１の内部に内部空間部１２を形成している。内部空間部１２は断面半円状をなし、下方部に指置き台２が載置される。指置き台２の下方の下部空間部１６には撮像部２が設けられる。枠体１１の上部空間部１５内には照明手段としての近赤外線発光ＬＥＤ（照射ＬＥＤ）１３および爪逃がし空間部照射ライト１４が設けられる。
【００１８】
カメラユニットからなる撮像部３は、レンズ、ホルダー、撮像素子、その保持基板およびミラー１７からなり、保持基板にＣＰＵ基板１４が設けられて画像データを作成する画像処理部が構成される。このような構成によって、認証する指１０を載置する指置き台２と、上方部に設けた照射ＬＥＤ１３により構成される照射手段、指１０を透過し、下部空間部１６に向かう光を受光して屈曲させるミラー１７を含んだ撮像部３が本体１１内に配設される。
【００１９】
内部空間部１２は、奥行方向において狭まる空間部として形成され、上面壁はなめらかな形状とされて内部空間部１２を狭めている。
【００２０】
指置き台２は、下部空間部１６を通じる撮像開口部２７の指の爪および根本方向で両側に設けてあり、奥側の指置き台２の上には滑らかな表面の突起２１が設けてあり、この突起２１を指１０が接触することによって正規の位置に、すなわち認証位置に指１０が載置されたことを認証する人は感知することができる。すなわち、突起２１は、認証する人に指１０が認証位置にあることを感知させる。この感知は突起形状でなくてもよく、指外面形状あるいはこれらの組み合わせであってもよい。このようにして、感知付与手段が形成される。
【００２１】
指置き台２の上には、更にスイッチボタン（押しボタンスイッチ）２２および前述の突起作用を持つ静電検出素子（静電スイッチ２１）が設けられ、挿入された指１０はこれらの検出手段を作動させる。
【００２２】
内部空間部１２が更に狭まった形で細長い穴状の付け爪逃がし空間部２５が形成される。従って、内部空間部１２は、付け爪逃がし空間部２５に向けて指置き台２に対向する側の壁面がスムーズに漸減して指１０を案内する案内面２４を形成する。このように形成された内部空間部１２および付け爪２６を装着した指１０が挿入されてくる。指に装着した付け爪２６は案内面２４を案内されて付け爪逃がし空間部２５に収納される。
【００２３】
図３において、静電スイッチ２１は、人体の静電容量を検知して人体である指１０が挿入されたことを検知する。検知信号は爪逃がし空間照射ライト１４を点灯し、指１０が確実に細長い穴形状の付け爪逃がし空間部２５に挿入されるように案内する役目を果す。
【００２４】
スイッチボタン２２は、押しボタンスイッチとして構成され、指１０がこのスイッチボタンを押圧すると照射ＬＥＤ１３を点灯し、撮像される画像の取り込みを開始する。スイッチボタン２２の矢印方向のスイッチストロークは、クリック感と爪のコスレがないように０．５ｍｍ以内のストロークとしている。
【００２５】
付け爪逃がし空間部２５は、スイッチボタン２２の高さより２ｍｍ程度低くし、付け爪２６の曲がり対応させる。奥行きの長さは、１５ｍｍ程度とする。高さは５ｍｍ程度、幅は２０ｍｍ程度とする。このようにして細長い形状の付け爪逃がし空間部２５が形成される。この付け爪逃がし空間部２５の上面壁２７は案内面２４に連続しており、付け爪２６をスムーズに付け爪逃がし空間部２５に案内し、挿入させる。付け爪逃がし空間部２５の最奥部は閉じられた壁２８として形成される。
【００２６】
通常、付け爪１６のサイズは１０通りに分類され、最大寸法は長さ２３ｍｍ、幅２０ｍｍとされており、従って、付け爪逃がし空間部２５を指１０の爪の先端から形成された空間部とすると、爪ノ長さを約１５ｍｍと想定すると、内部空間部１２の壁２９からの奥行き長さは５〜１０ｍｍ、幅は２０〜３０ｍｍ、高さは４〜１０ｍｍ程度に形成されれば充分な間隙を許容して付け爪１６を収納、配置させることができる。
【００２７】
内部空間部１２には、指１０の配置方向、すなわち挿入方向を指し示す誘導光路部（図示せず）を設けることができる。
【００２８】
そして、指置き台２には静電スイッチ２１および内部空間部１２の奥側で前記付け爪逃がし空間部２５に近接してスイッチボタン２２が設けてあり、内部空間部１２の指置き台１２に対向する側の案内面２４には付け爪逃がし空間部２５に近い奥側に爪逃がし空間照射ライト１４が、そして手前側に照射手段が照射ＬＥＤ１３によって構成され、静電スイッチ２１が指１０を検知すると爪逃がし空間照射ライト１４が点燈し、スイッチボタン２２が指１０によって押圧されると照射ＬＥＤ１３が作動することになる。
【図面の簡単な説明】
【００２９】
【図１】本発明の実施例の構成を示す正面図。
【図２】指を挿入した状態での縦断面図。
【図３】付け爪逃がし空間部を説明する図。
【符号の説明】
【００３０】
１…本体、２…指置き台、３…撮像部（撮像手段）、１１…枠体、１２…内部空間部、１３…照射ＬＥＤ（照射手段）、１４…爪逃がし空間照射ライト、１５…上部空間部、１６…下部空間部、２１…突起（静電スイッチ，静電検出素子）、２２…スイッチボタン（押しボタンスイッチ）、２４…案内面、２５…付け爪逃がし空間、２６…付け爪、２７…撮像開口部、１００…指静脈パターン入力装置。
【図１】
2008310394.tif 000003
【図２】
2008310394.tif 000004
【図３】
2008310394.tif 000005